(57)【要約】【課題】排水管継手をコンクリートスラブに支持するための支持具において、従来コンクリートスラブに対する脚部の立地位置の自由度が低かった。本発明では、脚部のコンクリートスラブに対する立地位置の自由度を高めることを目的とする。【解決手段】支持具１０は、排水管継手１の上部接続口１ａに対する取り付け部１１と、取り付け部１１から張り出すアーム部１２，１２を備えた支持具本体１３と、コンクリートスラブ４の上面から浮いた位置において各アーム部１２，１２に水平方向に回転可能に支持された補助アーム１４，１４と、各補助アーム１４，１４から下方へ延びてコンクリートスラブ４に立地される脚部１５，１５を備えた構成とする。【選択図】        図１
2004270166.tif 000002
【特許請求の範囲】
【請求項１】
排水管継手をコンクリートスラブに対して支持するための支持具であって、前記排水管継手の上部接続口に対する取り付け部と、該取り付け部の、前記排水管継手の管軸に対して相互に点対称の位置から放射方向へ張り出す複数のアーム部を備えた支持具本体と、前記コンクリートスラブの上面から浮いた位置において一端側が前記各アーム部に水平方向に回転可能に支持された補助アームと、該各補助アームの他端側から下方へ延びて前記コンクリートスラブの上面に立地される脚部を備えた前記排水管継手の支持具。
【請求項２】
請求項１記載の支持具であって、アーム部に対する補助アームの支持部を変更可能な支持具。
【請求項３】
請求項１記載の支持具であって、補助アームに対する脚部の取り付け位置を変更可能な支持具。
【請求項４】
請求項１記載の支持具であって、脚部の下部がコンクリートスラブに埋め込まれて立地される支持具。
【請求項５】
請求項１記載の支持具であって、補助アームは、ねじ軸を介してアーム部に水平回転可能に支持され、該ねじ軸にナットを締め込んで当該補助アームの前記アーム部に対する回転位置を固定可能な支持具。
【請求項６】
請求項１記載の支持具であって、脚部は、補助アームから下方への突き出し量を調整可能であり、かつナットを締め込んで前記突き出し量を固定可能な支持具。
【請求項７】
請求項６記載の支持具であって、脚部は、その軸回りの回転を阻止するための回り止め部を備えた支持具。
【請求項８】
排水管継手をコンクリートスラブに対して支持するための支持具であって、前記排水管継手の上部接続口に対する取り付け部と、該取り付け部の、前記排水管継手の管軸に対して相互に点対称の位置から放射方向へ張り出す複数のアーム部を備えた支持具本体と、一端側が前記各アーム部に水平方向に回転可能に支持された第１補助アームと、該各第１補助アームの他端側から下方へ延びる補助脚部と、前記コンクリートスラブの上面から浮いた位置において一端側が前記補助脚部の下部に水平方向に回転可能に支持された第２補助アームと、該第２補助アームの他端側から下方へ延びて前記コンクリートスラブの上面に立地される脚部を備えた前記排水管継手の支持具。
【請求項９】
排水管継手をコンクリートスラブに対して支持するための支持具であって、前記排水管継手の上部接続口に対する取り付け部と、該取り付け部の、前記排水管継手の管軸に対して相互に点対称の位置から放射方向へ張り出す複数のアーム部を備えた支持具本体と、前記各アーム部から下方へ延びて前記コンクリートスラブの上面に立地される脚部を備え、該脚部は屈曲してその上端側と下端側が相互に偏心しており、前記上端側の軸心回りに回転可能な状態で前記各アーム部に支持された前記排水管継手の支持具。
【請求項１０】
排水管継手をコンクリートスラブに対して支持するための支持具であって、前記排水管継手の上部接続口に対する取り付け部と、該取り付け部の、前記排水管継手の管軸に対して相互に点対称の位置から放射方向へ張り出す複数のアーム部を備えた支持具本体と、前記コンクリートスラブの上面から浮いた位置において一端側が前記各アーム部に水平方向に回転可能に支持された補助アームと、該各補助アームの他端側から下方へ延びて前記コンクリートスラブの上面に立地される脚部を備え、該脚部は屈曲してその上端側と下端側が相互に偏心おり、前記上端側の軸心回りに回転可能な状態で前記補助アーム部に支持された前記排水管継手の支持具。
【請求項１１】
排水管継手の下部接続口に接続された下流側の排水立て管をコンクリートスラブの下面に吊り下げて支持するための支持具であって、前記下流側の排水立て管の上部接続口に対する取り付け部と、該取り付け部の、前記排水立て管の管軸に対して相互に点対称の位置から放射方向へ張り出す複数のアーム部を備えた支持具本体と、前記コンクリートスラブの下面から離間した位置において一端側が前記各アーム部に水平方向に回転可能に支持された補助アームと、該各補助アームの他端側から上方へ延びて前記コンクリートスラブの下面に立地される脚部を備えた前記下流側の排水立て管の支持具。
【請求項１２】
排水管継手の下部接続口に接続された下流側の排水立て管をコンクリートスラブの下面に吊り下げて支持するための支持具であって、前記下流側の排水立て管の上部接続口に対する取り付け部と、該取り付け部の、前記排水立て管の管軸に対して相互に点対称の位置から放射方向へ張り出す複数のアーム部を備えた支持具本体と、前記各アーム部から上方へ延びて前記コンクリートスラブの下面に立地される脚部を備え、該脚部は屈曲してその上端側と下端側が相互に偏心しており、前記下端側の軸心回りに回転可能な状態で前記各アーム部に支持された前記排水立て管の支持具。
【発明の詳細な説明】
【０００１】
【発明の属する技術分野】
この発明は、例えば高層マンション等の建築物における排水経路において、排水管継手または排水立て管等の排水管をコンクリートスラブに対して支持するための支持具に関する。
この明細書において排水管には、排水立て管、排水横枝管、排水横主管あるいはこれらを相互に接続する排水管継手等の排水経路を構成する全ての排水管であって、当該支持具を用いてコンクリートスラブに直接支持若しくは固定される排水管の全てを含むものとする。
【０００２】
【従来の技術】
この種の排水経路において、排水立て管は建築物の各階ごとに設置した排水管継手を介して当該建築物を上下に貫通して配管される。各階の排水管継手を介して排水立て管に各階の横枝管が接続される。
排水管継手は、各階を区画するコンクリートスラブに貫通した状態に設置される。このため、排水管継手の設置にあたっては、予めコンクリートスラブに適当な大きさのスラブ孔を貫通して設けておき、このスラブ孔の直下まで配管されている下階側（下流側）の排水立て管の上端に当該排水管継手の下部接続口を接続することにより、当該排水管継手をこのスラブ孔内に収容保持し、次に、当該排水管継手の上部接続口に上流側の排水立て管を接続した後、スラブ孔にモルタル等を流し込んで埋め戻すことにより当該排水管継手をコンクリートスラブを貫通した状態に固定している。
【０００３】
このようにしてコンクリートスラブに固定される排水管継手に対しては、近年耐震性向上等の観点からさらに支持具を用いることによりコンクリートスラブに対してより強固に支持する施工がなされてる。
従来、この種の支持具には、例えば特開平１０−１４１５４４号公報に開示されたものがあった。この支持具は、排水管継手の上部接続部に巻き付けるように取り付ける取り付け部と、この取り付け部から左右側方（放射方向）へ延びるアーム部と、この左右アーム部からそれぞれ下方へ突き出してコンクリートスラブの上面に突き当てるようにして立地される左右一対の脚部を備えている。この支持具によれば、排水管継手に対して取り付け部を回転させることにより、またアーム部に対する脚部の取り付け位置を変更することにより、コンクリートスラブの上面に対する当該脚部の立地位置を変更することができる。
【０００４】
ここで、排水管継手を収容保持するためにコンクリートスラブに予め設けられるスラブ孔は、きれいな円形に設けられていることはむしろ希であり、その周縁部（スラブ孔の内周面）はデコボコになった非円形（不定形）である場合が多い。これに対して、排水管継手のスラブ面方向の位置は、下流側立て管の位置との関係からスラブ孔の位置および形状等に合わせて大きく位置変更することはできない。このため、結果的に予定した排水管継手の管軸に対してスラブ孔が大きく偏心して設けられてしまう場合もある。
このような場合に、取り付け部の管軸回りの位置を変更することにより、また脚部のアーム部に対する取り付け位置を変更することにより、脚部のコンクリートスラブに対する立地位置を変更することができるので、モルタル等の埋め戻し部（コンクリートスラブが存在しない部位）に脚部を立地させざるを得ない状況を回避して当該脚部を確実にコンクリートスラブの上面に立地させることができ、これにより当該支持具により排水管継手を強固に支持することができる。
【０００５】
【特許文献１】
特開平１０−１４１５４４号公報
【０００６】
【発明が解決しようとする課題】
しかしながら、上記従来の支持具にもさらに改善すべき点があった。すなわち、排水管継手が設置される部位はいわゆるパイプシャフト（ＰＳ）と称される限られたスペースであり、ここには別の排水立て管や給水管あるいは空調用ダクト等他の配管が隣接して配管される場合がある。この場合、排水管継手の管軸を基準にして脚部を立地させることができるコンクリートスラブの上面の範囲は、前記したようにスラブ孔が不定形であることにより制約を受けるばかりでなく、上記した他の配管等に対して脚部が干渉しない位置である必要がある点でも制約を受ける。
これに対して、従来の支持具は、二つまたは三つ以上のアーム部が排水管継手の管軸に対して相互に点対称の位置に固定して設けられていたことから、脚部のアーム部に対する取り付け位置の変更は、当該アーム部が延びる方向に沿ってのみ行うことができ、その結果不定形なスラブ孔に対応しつつ他の配管等との干渉を避けてコンクリートスラブ上面に脚部を立地させることができない場合もあった。
この発明は、排水管継手をコンクリートスラブに支持するための支持具において、上記脚部のコンクリートスラブに対する立地位置選択の自由度を一層高めることを目的とする。
【０００７】
【課題を解決するための手段】
このため、本発明では、前記請求項に記載した構成の支持具とした。
請求項１記載の支持具によれば、当該排水管継手に対して取り付け部を回転させることにより支持具本体を管軸回りに回転させることができ、これにより管軸回りの全周にわたる範囲で脚部の位置を調整することができる。しかも、アーム部に対して補助アームを水平方向に回転させることにより脚部のアーム部に対する位置を補助アームの支持部を中心とするほぼ全周にわたる範囲で調整することができる。このことから、脚部の位置を、アーム部が延びる放射方向から外れた範囲にも移動させることができるので、脚部の立地位置選択に関する自由度を従来よりも高めることができる。
また、補助アームは、コンクリートスラブの上面から浮いた位置においてアーム部に取り付けられているので、この補助アームはコンクリートスラブの上面に接地していない。ここで、仮に上記補助アームをコンクリートスラブに接地させる構成とした場合には、排水の流下に伴って発生する振動がコンクリートスラブに伝播することを抑制するにこの補助アームとコンクリートスラブとの間に防振材を介在させる必要が生じる。しかしながら、請求項１記載の構成によれば、補助アームは、コンクリートスラブから浮いた位置に設けられているので、上記のような防振材を必要としない。
【０００８】
請求項２または３記載の支持具によれば、請求項１記載の構成による作用効果に加えて、脚部のコンクリートスラブに対する立地位置選択の自由度を一層高めることができる。
請求項４記載の支持具によれば、請求項１記載の構成による作用効果に加えて、脚部がコンクリートに対して強固に立地されるので、排水管継手をコンクリートスラブに対して一層強固に支持することができる。
請求項５記載の支持具によれば、請求項１記載の構成による作用効果に加えて、簡単な構成により補助アームをアーム部に対して回転させ、固定することができるので、補助アームの位置調整を簡単に行うことができる。
請求項６記載の支持具によれば、請求項１記載の構成による作用効果に加えて、排水管継手のコンクリートスラブに対する管軸方向（高さ方向）の取り付け誤差、排水管継手の上部接続口に対する支持具本体の管軸方向（高さ方向）の取り付け誤差を簡単に吸収することができる。
請求項７記載の支持具によれば、請求項６記載の構成による作用効果に加えて、脚部の補助アームからの突き出し量の調整を行うにあたってナットの締め込み、緩め作業を簡単に行うことができる。
【０００９】
請求項８記載の支持具によれば、当該排水管継手に対して取り付け部を回転させることにより支持具本体を管軸回りに回転させることができ、これにより管軸回りの全周にわたる範囲で脚部の位置を調整することができる。しかも、アーム部に対して第１補助アームを水平方向に回転させることにより、また補助脚部に対して第２補助アームを水平方向に回転させることにより、２段階で、脚部のアーム部に対する位置を調整することができる。このことから、脚部の位置を、アーム部が延びる放射方向から外れたより広い範囲に移動させることができるので、脚部の立地位置選択に関する自由度を従来よりも高めることができる。
また、第１補助アームよりも下方に位置する第２補助アームが、コンクリートスラブの上面から浮いた位置において補助脚部の下部に取り付けられているので、この両補助アームはコンクリートスラブの上面に接地していない。ここで、仮に第２補助アームをコンクリートスラブに接地させる構成とした場合には、排水の流下に伴って発生する振動がコンクリートスラブに伝播することを抑制するにこの第２補助アームとコンクリートスラブとの間に防振材を介在させる必要が生じる。しかしながら、請求項８記載の構成によれば、第１および第２補助アームは、コンクリートスラブから浮いた位置に設けられているので、上記のような防振材を必要としない。
【００１０】
請求項９記載の支持具によれば、当該排水管継手に対して取り付け部を回転させることにより支持具本体を管軸回りに回転させることができ、これにより管軸回りの全周にわたる範囲で脚部の位置を調整することができる。しかも、脚部は屈曲してその上端側と下端側が相互に偏心した状態に設けられている。このため、脚部をその上端側を中心にしてアーム部に対して回転させることにより、コンクリートスラブに対する立地部位（埋め込み部位）であるその下端側を上端側を中心にして回転させることができ、これによりコンクリートスラブに対する脚部の立地位置を、アーム部が延びる放射方向から外れた範囲にも移動させることができるので、脚部の立地位置選択に関する自由度を従来よりも高めることができる。
【００１１】
請求項１０記載の支持具によれば、当該排水管継手に対して取り付け部を回転させることにより支持具本体を管軸回りに回転させることができ、これにより管軸回りの全周にわたる範囲で脚部の位置を調整することができる。しかも、アーム部に対して補助アームを水平方向に回転させることにより脚部のアーム部に対する位置を補助アームの支持部を中心とするほぼ全周にわたる範囲で調整することができる。このことから、脚部の位置を、アーム部が延びる放射方向から外れた範囲にも移動させることができるので、脚部の立地位置選択に関する自由度を従来よりも高めることができる。
さらに、この脚部は屈曲してその上端側と下端側が相互に偏心した状態に設けられている。このため、脚部をその上端側を中心にして補助アーム部に対して回転させることにより、コンクリートスラブに対する立地部位（埋め込み部位）であるその下端側を上端側を中心にして回転させることができ、これによりコンクリートスラブに対する脚部の立地位置を、アーム部が延びる放射方向から外れた範囲にも移動させることができる。
【００１２】
このように、請求項１０記載の支持具によれば、アーム部に対して補助アームを回転させることにより、コンクリートスラブに対する脚部の立地位置をアーム部の放射方向から外れた位置に移動させることができ、かつ脚部をその上端側を中心にして補助アームに対して回転させることによっても、その立地位置をアーム部の放射方向から外れた位置に移動させることができるので、請求項８記載の支持具と同様２段階で脚部の立地位置を調整することができ、これにより脚部の立地位置選択に関する自由度を従来よりも高めることができる。
また、請求項１０記載の支持具においても、補助アームは、コンクリートスラブの上面から浮いた位置においてアーム部に取り付けられているので、この補助アームはコンクリートスラブの上面に接地していない。従って、前記と同様接地させた場合に必要となる防振材を必要としない。
請求項１１および請求項１２記載の支持具によれば、排水管継手の下部接続口に接続される下流側の排水立て管がコンクリートスラブに対して吊り下げ状態で支持する場合に前記と同様の作用効果を得ることができる。すなわち、脚部のコンクリートスラブ下面に対する立地位置を従来よりも広範囲で任意に選択することができるので、当該支持具ひいては排水管の施工を迅速かつ確実に行うことができる。
【００１３】
【発明の実施形態】
次に、本発明の実施の形態を図１〜図１１に基づいて説明する。図１は、第１実施形態の支持具１０を用いて排水管継手１を支持した状態を示している。排水管継手１の上部接続口１ａには上流側の排水立て管２が接続され、下部接続部（図１では見えていない）には下流側の排水立て管３が接続されている。この排水管継手１は、コンクリートスラブ４に設けたスラブ孔４ａ内に収容され、この収容状態でスラブ孔４ａ内にモルタル材を埋め戻すことによりスラブ孔４ａ内に保持されている。図中埋め戻し部に符号４ｂを付して示した。
さて、第１実施形態の支持具１０は、排水管継手１の上部接続口１ａに対する取り付け部１１と、この取り付け部１１から側方へ延びる一対のアーム部１２，１２を有する支持具本体１３と、両アーム部１２，１２にそれぞれ水平方向へ回転可能に取り付けられた一対の補助アーム１４，１４と、この補助アーム１４，１４の先端側からそれぞれ下方へ延びる一対の脚部１５，１５を備えている。第１実施形態では、アーム部１２、補助アーム１４および脚部１５等は、左右対称に構成されており、図１では片側のみ示されている。
【００１４】
取り付け部１１は、帯板材を排水管継手１の上部接続口１ａの外径に合わせて半円形に屈曲させた取り付け板１１ａ，１１ａを対向させた二つ割り構造を有している。この両取り付け板１１ａ，１１ａを排水管継手１の上部接続口１ａを両側から挟み込む状態で配置し、この挟み込み状態で後述するアーム板１２ａ，１２ａをボルト（図示省略）により相互に対向させた状態で結合することにより当該支持具本体１３が上部接続口１ａに取り付けられている。このため、この支持具本体１３は、アーム板１２ａ，１２ａを相互に固定するボルト・ナット（図９の取り付けボルト５４、ナット５３を参照）を緩めることにより、上部接続口１１ａの管軸Ｊ回り（すなわち当該排水管継手１の管軸Ｊ回り）に回転させることができる。
なお、図示は省略されているが、取り付け部１１と上部接続口１ａとの間には、防振材（図９の防振材５２，５２を参照）が介在されている。
【００１５】
上記両取り付け板１１ａ，１１ａのそれぞれの両端部からは上記アーム板１２ａが側方へ延びており、このアーム板１２ａ，１２ａが相互に対向されてアーム部１２を構成している。従って、両アーム部１２，１２は、取り付け部１１に一体に設けられている。また、両アーム部１２，１２は、排水管継手１の管軸Ｊを中心として点対称の位置から放射方向に沿って側方へ張り出している。両アーム部１２，１２の先端側には、それぞれアーム板１２ａの端部が半円弧形状に屈曲されて挿通孔部１２ｂが設けられている。この両挿通孔部１２ｂ，１２ｂにはそれぞれ防振用の防振材（図９の防振材５７参照）を介してねじ軸１６が挿通されている。このねじ軸１６を介して、両アーム部１２，１２には、それぞれ補助アーム１４が水平方向へ回転可能に支持されている。図５にはこの補助アーム１４が単独で示されている。この補助アーム１４は、長手方向両端部に二つの挿通孔１４ａ，１４ｂを有している。図示右側の挿通孔１４ａに上記ねじ軸１６が挿通されている。
ねじ軸１６，１６の上端部はそれぞれアーム部１２の上面から上方へ突き出されており、この突き出し部分にナット１７が締め込まれている。また、ねじ軸１６，１６の下端部はそれぞれ補助アーム１４の下面から下方へ突き出されており、この突き出し部分にナット１８が締め込まれている。このため、両ナット１７，１８を緩めると、補助アーム１４をアーム部１２に対して回転させることができる。両ナット１７，１８を締め込むと、補助アーム１４はアーム部１２に対して回転不能に固定される。
【００１６】
また、補助アーム１４，１４は、それそれコンクリートスラブ４の上面から一定寸法浮いた上方に配置されている。仮に、この補助アーム１４，１４をコンクリートスラブ４の上面に当接させた構成とすると、排水の流下により発生する振動がコンクリートスラブ４に伝播することを抑制するために補助アーム１４とコンクリートスラブ４との間に防振ゴム等の防振材を介装させておく必要がある。しかしながら、第１実施形態の補助アーム１４は、コンクリートスラブ４の上面から浮いた位置に設けられているので、この種の防振材を介在させる必要がない。
上記補助アーム１４に代えて例えば図６に示すような三つの挿通孔２２ａ，２２ｂ，２２ｃを備えた補助アーム２２を用いることもできる。この補助アーム２２によれば、三つのうちの任意の一つの挿通孔２２ａ（または２２ｂまたは２２ｃ）を介して当該補助アーム２２をアーム部１２に回動支持し、残る二つのうちの一つの挿通孔２２ｂまたは２２ｃ（または２２ａ）に脚部１５を取り付けることができる。これによれば、補助アーム２２のアーム部１２に対する取り付け位置および脚部１５を取り付ける位置ひいては脚部１５のコンクリートスラブ４に対する立地位置選択の自由度をより一層高めることができる。
また、補助アーム１４，２２に代えて、例えば図７に示すような補助アーム２３を用いる構成としてもよい。この補助アーム２３は、小判形の長溝孔２３ａを有している。この長溝孔２３ａ内に前記ねじ軸１６と脚部１５が挿通される。この補助アーム２３によれば、ナット１７〜２０を緩めるだけで、アーム部１２に対する補助アーム２３の位置、および補助アーム２３に対する脚部１５の取り付け位置を簡単に変更することができる。
【００１７】
次に、脚部１５，１５の上部は、補助アーム１４の回動先端側の挿通孔１４ｂに挿通されている。この脚部１５，１５は、補助アーム１４の上面側のナット１９と下面側のナット２０を締め込むことにより、補助アーム１４に軸方向移動不能かつ軸回りに回転不能に固定される。
図１および図２に示すように脚部１５，１５の上端部は、Ｌ字形に折り曲げられている。この折り曲げ部１５ａを利用することにより、脚部１５を簡単に回転させることができ、逆にナット１９，２０の締め込み時に当該脚部１５の回り止めをすることができる。この折り曲げ部１５ａに代えて、脚部１５の上端部には例えば図３に示すように六角形の頭部１５ｂを設ける構成としてもよい。この六角形の頭部１５ｂによっても同等の作用効果を得ることができる。また、折り曲げ部１５ａまたは六角形の頭部１５ｂに代えてあるいは追加して、例えば図４に示すように当該脚部１５の中程にスパナ掛け部１５ｃを設ける構成としてもよい。
脚部１５，１５の下端部は、いわゆるホールインアンカー２１を介してそれぞれコンクリートスラブ４の上面に埋め込まれて固定される。
【００１８】
以上のような構成を有する支持具１０は、排水管継手１の施工のあたって以下のようにして取り付けられる。排水管継手１の下部接続口に下流側の排水立て管３を接続し、上部接続口１ａに上流側の排水立て管２を接続して当該排水管継手１をコンクリートスラブ４に対して仮止めした状態、あるいはさらにスラブ孔４ａをモルタル材等により埋め戻しして（埋め戻し部４ｂ）、当該排水管継手１をコンクリートスラブ４に完全に固定した状態において、支持具１０を排水管継手１の上部接続口１ａにセットする。
このセット状態では、取り付け部１１は上部接続口１ａの回りに回転可能な状態であり、またナット１７，１８を緩めてアーム部１２に対して補助アーム１４を回動可能な状態であり、かつナット１９，２０を緩めて補助アーム１４に対して脚部１５を軸方向に移動可能、軸回りに回転可能な状態としておく。
一方、スラブ孔４ａは排水管継手１に対して同軸できれいな円形にあけられておらず、またその周縁はデコボコの不定形となっている場合を想定する。この場合、取り付け部１１を上部接続口１ａ回りに回転させて脚部１５の下端部（コンクリートスラブ４に対する埋め込み部）が、充分強度の高い箇所に位置するように当該支持具１０の位置を調整する。この際、図１１に示すように一方または双方の補助アーム１４をねじ軸１６を中心にして回転させることにより、両脚部１５，１５の相互の位置を、アーム部１２，１２が延びる放射方向Ｒから外れた範囲（円形軌跡Ｈ上の任意の位置）にも移動させることができるので、脚部１５，１５のコンクリートスラブ４に対する埋め込み位置（立地位置）選択に関する自由度を従来よりも高めることができる。
【００１９】
このように以上説明した第１実施形態の支持具１０によれば、排水管継手１に対して取り付け部１１を回転させることにより支持具本体１３を管軸Ｊ回りに回転させることができ、これにより管軸Ｊ回りの全周にわたる範囲で脚部１５，１５の位置（その下端部のコンクリートスラブ４に対する埋め込み位置）を調整することができる。
しかも、両アーム部１２，１２に対してそれぞれ補助アーム１４を水平方向に回転させることにより脚部１５のアーム部１２に対する位置を補助アーム１４の支持部（ねじ軸１６）を中心とする円形軌跡Ｈのほぼ全周にわたる範囲で調整することができる。このことから、脚部のコンクリートスラブ４に対する埋め込み位置を、アーム部１２，１２が延びる放射方向Ｒから外れた範囲にも移動させることができるので、脚部１５，１５の埋め込み位置選択に関する自由度を従来よりも高めることができる。
また、補助アーム１４，１４は、それぞれコンクリートスラブ４の上面から浮いた位置においてアーム部１２に取り付けられているので、この補助アーム１４，１４はコンクリートスラブ４の上面に接地していない。このため、仮に上記補助アーム１４，１４をコンクリートスラブ４の上面に接地させる構成とした場合に必要となる防振材を必要としない。
【００２０】
以上説明した第１実施形態には種々変更を加えることができる。例えば、図８に示す第２実施形態の支持具３０は、片側で二つの補助アームを備えている点で前記第１実施形態とは異なっている。変更を要しない構成については、同位の符号を用いてその説明を省略する。また、図８では、支持具本体１３は省略され、片側の補助アームおよび脚部のみが示されている。
この第２実施形態の支持具３０が、請求項８に記載した発明の一実施形態に相当する。
この第２実施形態の支持具３０は、一端側がねじ軸１６を介して各アーム部１２に水平方向に回転可能に支持された第１補助アーム３１と、第１補助アーム３１の他端側から下方へ延びる補助脚部３２と、コンクリートスラブ４の上面から浮いた位置において一端側が補助脚部３２の下部に水平方向に回転可能に支持された第２補助アーム３３と、第２補助アーム３３の他端側から下方へ延びてコンクリートスラブ４にホールインアンカー２１を介して埋め込まれる脚部３４を備えている。第１および第２補助アーム３１，３３には、図６に示す三孔タイプの補助アーム２２が用いられている。
ナット１７，１８を締め込むことにより第１補助アーム３１がアーム部１２に対して固定される。ナット３５，３６を締め込むことにより補助脚部３２が第１補助アーム３１に対して固定される。ナット３７，３８を締め込むことにより補助脚部３２に対して第２補助アーム３３が固定される。ナット３９，４０を締め込むことにより第２補助アーム３３に対して脚部３４が固定される。
このような上下二段の補助アーム３１，３３を用いることにより、脚部３４のコンクリートスラブ４に対する立地位置選択の自由度を一層高めることができる。
【００２１】
また、図９に示す第３実施形態の支持具５０は、クランク状に屈曲する屈曲脚部５１，５１を備える点で前記第１および第２実施形態とは異なっている。支持具本体１３には前記と同様の構成のものが用いられている。
この第３実施形態の支持具５０が、請求項９に記載した発明の一実施形態に相当する。
支持具本体１３の各アーム部１２，１２には、クランク形状に屈曲する屈曲脚部５１の上部が取り付けられている。ナット５５，５６を締め込むことにより、屈曲脚部５１が回転不能かつ軸方向移動不能に固定される。
この屈曲脚部５１は、その軸方向中途の位置で屈曲してその上端側と下端側が相互に偏心したクランク形状を有している。両屈曲脚部５１，５１の下端部は前記各実施形態と同様ホールインアンカー２１を用いてコンクリートスラブ４の上面に埋め込まれて固定される。
なお、支持具本体１３と排水管継手１の上部接続口１ａとの間には、防振材５２，５２が挟み込まれる。また、屈曲脚部５１の上部は防振用の防振材５７を介して支持具本体１３の挿通孔部１２ｂに挿通されている。
左右のアーム部１２，１２を構成するアーム板１２ａ，１２ａは相互に対向した状態で取り付けボルト５４とナット５３により固定され、これにより取り付け部１１が上部接続口１ａに固定される。
このように構成した第３実施形態の支持具５０によれば、取り付けボルト５４とナット５３を緩めることにより支持具本体１３を排水管継手１の管軸Ｊ回りに回転させることができるとともに、ナット５５，５６を緩めることにより屈曲脚部５１をその上端部側の軸心５１ａを中心にして回転させることができる。屈曲脚部５１の上端部側の軸心５１ａと、下端部側の軸心５１ｂは一定寸法偏心している。このため、上端部側の軸心５１ａを中心にして当該屈曲脚部５１を回転させると、その下端部（コンクリートスラブ４に対する埋め込み部）を一定径の円周に沿って移動させることができる。このことから、第３実施形態によっても前記第１実施形態と同様の作用効果を得ることができる。
【００２２】
次に、図１０には、二段クランク形状の屈曲脚部６１が示されている。この屈曲脚部６１は、アーム部１２に対して回転可能に取り付けられる第１クランク部６２と、この第１クランク部６２の先端側から下方へ延びる状態で取り付けられる補助脚部６３と、この補助脚部６３の下端に回転可能に取り付けられた第２クランク部６４を備えている。第２クランク部６４の下端側にスラブ固定用のホールインアンカー２１が取り付けられる。第１クランク部６２のねじ軸部６２ａが防振用の防振材（図９の防振材５７参照）を介してアーム部１２の挿通孔部１２ｂに挿通され、図示省略した二つのナットで固定される。このナットを緩めることにより第１クランク部６２をねじ軸部６２ａを中心にして回転させることができる。
第１クランク部６２の先端側のナット６２ｂを緩めることにより補助脚部６３をその軸回りに回転させて軸方向へ移動させることができる。補助脚部６３をその軸回りに回転させることにより第２クランク部６４を回転させることができる。また、ナット６２ｂを緩めて補助脚部６３をその軸回りに回転させ、これにより第１クランク部６２に対する軸方向の位置を調整することにより第１クランク部６２と第２クランク部６４との間の高さ方向の位置を調整することができる。以上のように構成した屈曲脚部６１を備えた第４実施形態の支持具６０によれば、前記第２実施形態と同様の作用効果を得ることができる。
【００２３】
以上説明した第１〜第４実施形態にはさらに変更を加えて実施することができる。例えば、第１実施形態におけるねじ軸１６をさらに長いねじ軸に代えて、補助アーム１４のアーム部１２に対する高さ方向の位置を調整可能とすることにより、補助アーム１４が例えば水道メーター等に干渉することを防止できるようになる。
また、例えば、第２実施形態におけるねじ軸１６、補助脚部３２および脚部３４、第３実施形態における屈曲脚部５１、第４実施形態における補助脚部６３に、それらの回り止めをするためのスパナ掛け部１５ｃ，１５ｃを設けることができる。
また、二つのアーム部１２，１２を有する支持具本体１３を例示したが、三つ以上のアーム部を有する支持具本体としてもよい。これら複数のアーム部は、いずれも管軸Ｊに対して点対称の位置から放射方向Ｒに沿って延びる状態に設けられる。
さらに、本発明に係る支持構造は、排水管継手１をコンクリートスラブ４の上面に対して支持する場合だけでなく、例えば図１２に示すように下流側の排水立て管３をコンクリートスラブ４の下面側に吊り下げ状態で支持する場合にも同様に適用することができる。図１２に示す支持具７０は、図１に示した第１実施形態の支持具１０をほぼそのまま下流側排水立て管３の吊り下げ支持具として流用したもので、これが請求項１１に記載した発明の実施形態に相当する。変更を要しない部材については同位の符号を付してその説明を省略する。この支持具７０によっても、下流側の排水立て管を同等の作用効果を得ることができる。
また、図示は省略したが図９に示す第３実施形態の支持具５０を、上記と同様下流側の排水立て管３を吊り下げて支持する場合に適用することができる。これが請求項１２に記載した発明の実施形態に相当する。
【図面の簡単な説明】
【図１】本発明の第１実施形態を示す斜視図である。
【図２】脚部の上端部を示す斜視図である。
【図３】脚部の上端部の別例を示す斜視図である。
【図４】脚部のスパナ掛け部の斜視図である。
【図５】補助アームの平面図である。
【図６】別形態の補助アームの平面図である。
【図７】さらに別形態の補助アームの平面図である。
【図８】本発明の第２実施形態の支持具の斜視図である。本図では、支持具本体が省略されている。
【図９】本発明の第３実施形態の支持具の斜視図である。
【図１０】本発明の第４実施形態の支持具の斜視図である。本図では、支持具本体が省略されている。
【図１１】第１実施形態の支持具を模式的に示した平面図である。
【図１２】第１実施形態の支持具を用いて下流側の排水立て管をコンクリートスラブの下面に対して吊り下げて支持した支持構造の斜視図である。
【符号の説明】
１…排水管継手、１ａ…上部接続口、Ｊ…管軸
４…コンクリートスラブ、４ａ…スラブ孔、４ｂ…埋め戻し部
１０…支持具（第１実施形態）
１１…取り付け部
１２…アーム部
１３…支持具本体
１４…補助アーム
１５…脚部
２１…ホールインアンカー
３０…支持具（第２実施形態）
３１…第１補助アーム
３２…補助脚部
３３…第２補助アーム
３４…脚部
５０…支持具（第３実施形態）
５１…屈曲脚部、５１ａ…上端部側の軸心、５１ｂ…下端部側の軸心
６０…支持具（第４実施形態）
６１…屈曲脚部
６２…第１クランク部
６３…補助脚部
６４…第２クランク部
７０…支持具（吊り下げタイプ）
【図１】
2004270166.tif 000003
【図２】
2004270166.tif 000004
【図３】
2004270166.tif 000005
【図４】
2004270166.tif 000006
【図５】
2004270166.tif 000007
【図６】
2004270166.tif 000008
【図７】
2004270166.tif 000009
【図８】
2004270166.tif 000010
【図９】
2004270166.tif 000011
【図１０】
2004270166.tif 000012
【図１１】
2004270166.tif 000013
【図１２】
2004270166.tif 000014